(57)【特許請求の範囲】
【請求項１】
繊維強化プラスチックにより構成された基材と、
該基材の上に配置され、該基材から流出した樹脂を内部に含むことにより該基材に固定された繊維クロスであって、前記基材の露出した表面とは異なる外観を有する繊維クロスと、
を具備し、
前記繊維クロスが、前記基材の上に順次重なった複数の繊維クロスを含む、
表面構造体。
【請求項２】
前記複数の繊維クロスが、ガラス繊維により構成された繊維クロスと、炭素繊維により構成された繊維クロスと、を含む請求項１に記載の表面構造体。
【請求項３】
繊維強化プラスチックにより構成された基材と、
該基材の上に配置され、該基材から流出した樹脂を内部に含むことにより該基材に固定された繊維クロスであって、前記基材の露出した表面とは異なる外観を有する繊維クロスと、
を具備し、
前記繊維クロスは、前記基材に含まれた繊維の延びる方向とは異なる方向に延びる繊維を含む、
表面構造体。
【発明の詳細な説明】
【技術分野】
【０００１】
本発明は、釣竿、リール、クーラーボックス、ルアー等の釣具、及び、ゴルフクラブシャフト等のゴルフ用品等を含む工業製品の表面に形成される表面構造体に関する。
【背景技術】
【０００２】
釣具やゴルフ用品等の工業製品の表面を装飾するために形成される表面構造体としては、特開２０００−２１８９９９号公報（特許文献１）に記載されたものが知られている。
この特許文献に記載された表面構造体は、基材（釣竿本体等）と、基材の表面上に接着されたシールと、基材及びシールを連続的に覆う塗膜と、を含むものである。
【先行技術文献】
【特許文献】
【０００３】
【特許文献１】特開２０００−２１８９９９号公報
【発明の概要】
【発明が解決しようとする課題】
【０００４】
しかしながら、上記特許文献に記載に記載された表面構造体においては、シールと基材の表面との密着性が悪く、しかも、シールと塗膜との密着性も良いものではない。
【０００５】
そこで、本実施の形態により、高い密着性を有する表面構造体を提供する。
【課題を解決するための手段】
【０００６】
一実施形態に係る繊維強化プラスチックにより構成された基材と、該基材の上に配置され、該基材から流出した樹脂を内部に含むことにより該基材に固定された繊維クロスであって、前記基材の露出した表面とは異なる外観を有する繊維クロスと、を具備する。
【発明の効果】
【０００７】
本実施の形態により、高い密着性を有する表面構造体を提供することができる。
【図面の簡単な説明】
【０００８】
【図１】図１は、本発明の一実施形態に係る表面構造体を備えた釣竿の構成を部分的に拡大して示す斜視図である。
【図２】図２は、図２は、図１に示した繊維クロス２０と基材１０とを含む表面構造体の構成を示す断面図である。
【図３】図３は、図１に示した繊維クロス３０と基材１０とを含む表面構造体の構成を示す断面図である。
【図４】図４は、図１に示した繊維クロス３０と基材１０とを含む表面構造体（変形例）の構成を示す断面図である。
【発明を実施するための形態】
【０００９】
以下、様々な実施形態を適宜図面を参照して説明する。なお、図面における共通する構成要素には同一の参照符号が付されている。また、各図面は、便宜上、必ずしも同一の縮尺により示されているとは限らない。
【００１０】
以下、様々な実施形態に係る塗装構造体が工業製品の１つである釣竿の表面の上に形成される場合について説明するが、これらの実施形態に係る塗装構造体は、釣具やゴルフ用品等を含むあらゆる工業製品に適用可能なものである。
【００１１】
図１は、本発明の一実施形態に係る表面構造体を備えた釣竿の構成を部分的に拡大して示す斜視図である。図１に示すように、釣竿本体（基材）１０の表面上には、文字、模様やパターン等を表現するために、繊維クロス２０、３０が固定されている。繊維クロスのとしては、釣竿の外周を覆うように釣竿の周方向に沿って延びる帯状の繊維クロス（１又はそれ以上の繊維クロス）を用いることも可能である。
この基材１０と、繊維クロス２０、３０等の繊維クロスとが、一実施形態に係る表面構造体を構成する。
【００１２】
基材１０は、例えば、繊維強化に合成樹脂を含浸させた繊維強化プリプレグシートを芯金に巻回した後、硬化、脱芯等の工程を経て形成されたものである。基材１０は、中空構造及び中実構造のいずれの構造を有するものであってもよい。図１には、一例として、基材１０は、水平方向に沿って延びる複数の繊維を含む構成が示されている。また、基材１０は、その上に付与された塗装（装飾）層（図示しない）を含むものであってもよい。
【００１３】
繊維クロス２０、３０等の繊維クロスは、ガラス繊維や炭素（カーボン）繊維等の繊維を用いてシート状に形成されたものである。繊維クロスは、i)同一の方向に沿って延びるように複数の繊維が並べられた構造を有する通常の繊維クロス、ii)織物状（平織状、綾巻状及び３軸・４軸状等を含む）の繊維クロス等を含む。
また、繊維クロスは、任意の色に顔料等により着色されていてもよい。
【００１４】
図１において繊維クロスの具体例として示された繊維クロス２０、３０は、シート状の繊維クロスをパターン抜きすることにより形成されたものである。
【００１５】
図２は、図１に示した繊維クロス２０と基材１０とを含む表面構造体の構成を示す断面図である。図２に示すように、一実施形態に係る表面構造体は、繊維強化プラスチックにより構成された基材１０と、基材１０の上に配置された繊維クロス２０と、を含む。繊維クロス２０は、基材１０から流出した樹脂を内部に（繊維間に）含むことにより基材１０に固定されている。
なお、繊維クロス２０の端面は、基材１０から流出した樹脂１２によって覆われている。この樹脂１２は、基材１０の表面と繊維クロス２０の表面との間に湾曲した表面を形成している。
【００１６】
繊維クロス２０は、基材１０に含まれた繊維の延びる方向とは異なる方向に延びる繊維を含むものとすることができる。例えば、図１に示したように、基材１０は、水平方向に沿って延びる複数の繊維を有するものとすることができるところ、繊維クロス２０は、平織状の繊維クロスとすることができる。すなわち、繊維クロス２０は、水平方向に延びる
複数の繊維に加えて、垂直方向に延びる複数の繊維をも含む。これにより、繊維クロス２０は、基材１０の露出した表面とは異なる外観を有することができる。
【００１７】
なお、図２に示した表面構造体は、繊維クロス２０と、基材１０の露出した表面とを連続的に覆う保護層４０を含んでいてもよい。この保護層４０は、例えば、塗料から顔料を除去したもの等により構成される。
【００１８】
図３は、図１に示した繊維クロス３０と基材１０とを含む表面構造体の構成を示す断面図である。図３に示すように、一実施形態に係る表面構造体は、繊維強化プラスチックにより構成された基材１０と、基材１０の上に配置された繊維クロス３０と、を含む。繊維クロス３０は、基材１０から流出した樹脂を内部に（繊維間に）含むことにより基材１０に固定されている。
【００１９】
繊維クロス３０は、基材１０の上に順次重なった第１の繊維クロス３２及び第２の繊維クロス３４と、を含む。図１に示したように、第１の繊維クロス３２は、例えば、着色された繊維クロスであり、第２の繊維クロス３４は、例えば、平織状の繊維クロスである。第１の繊維クロス３２は、例えば、基材１０とは異なる色に着色されることにより、基材１０の露出した表面とは異なる外観を有する。第２の繊維クロス３４は、基材１０に含まれた繊維の延びる方向とは異なる方向に延びる繊維を含む。具体的には、第２の繊維クロス３４は、水平方向に約４５度傾斜した第１の方向に延びる複数の繊維に加えて、この第１の方向に約９０度傾斜した第２の方向に延びる複数の繊維をも含む。これにより、繊維クロス２０は、基材１０の露出した表面とは異なる外観を有することができる。
【００２０】
なお、繊維クロス３０の端面は、基材１０から流出した樹脂１４によって覆われている。具体的には、樹脂１４ａが、基材１０の表面と第１の繊維クロス３２の表面との間に湾曲した表面を形成し、樹脂１４ｂが、第１の繊維クロス３２の表面と第２の繊維クロス３４の表面との間に湾曲した表面を形成している。
【００２１】
また、図３に示した表面構造体は、第１の繊維クロス３２と、第２の繊維クロス３４と、基材１０の露出した表面とを連続的に覆う保護層４０を含んでいてもよい。
【００２２】
なお、一実施形態として、第１の繊維クロス３２がカーボン繊維を含み、第２の繊維クロス３４がガラス繊維を含むものとしてもよい。これにより、第２の繊維クロス３４がレンズのように機能して、第１の繊維クロス３２の外観が第２の繊維クロス３４のレンズ効果によって変化させられる。これとは反対に、別の実施形態として、第１の繊維クロス３２がガラス繊維を含み、第２の繊維クロス３４がカーボン繊維を含むものとしてもよい。これにより、第１の繊維クロス３２がレンズのように機能して、第２の繊維クロス３４が、第１の繊維クロス３２のレンズ機能により、浮いて見えるような外観を有することができる。
【００２３】
また、さらに図３に示した実施形態の変形例として、図４に示すように、繊維クロス３０が、基材１０の上に順次重なった第１の繊維クロス３２、第２の繊維クロス３４及び第３の繊維クロス３６と、を含むこともできる。この例では、第３の繊維クロス３６の端面が基材１０から流出した樹脂１４ｃにより覆われている。この樹脂１４ｃは、第２の繊維クロス３４の表面と第３の繊維クロス３６の表面との間に湾曲した表面を形成している。
この変形例では、第１の繊維クロス３２〜第３の繊維クロス３６の各々は、ガラス繊維及びカーボン繊維等の任意の繊維を含むものであってよく、また、着色されていてもよい。
【００２４】
次に、図１〜図４に示した表面構造体の製造方法について説明する。
まず、シート状の繊維クロスに対するパターン抜きが行われることにより所望の形状を有する繊維クロス１２、３２、３４、３６が形成される。これらの繊維クロスが基材１０の上に順次重なるように配置される。これらの繊維クロスが配置された基材１０の外周面にポリエステル等の成形テープが例えば螺旋状に巻かれる。成形テープが巻かれた基材１０が焼成される。
【００２５】
この焼成によって、基材１０の内部に含まれていた樹脂が、基材１０の表面から外部に流出して、繊維クロスの底面からその内部に（繊維間や織り間に）流入する。また、基材１０の内部に含まれていた樹脂は、繊維クロスの端面からその内部に流入する。基材１０から繊維クロスの端面に向かう樹脂が、図２〜図４に示した樹脂１２、１４ａ、１４ｂ、１４ｃを形成する。このような基材１０の内部に含まれていた樹脂が、繊維クロスの内部に流入し、硬化することによって、繊維クロスは基材１０に固定される。
この後、成形テープが剥がされる。なお、必要に応じて、基材１０と繊維クロスとを連続的に覆う保護層４０が付与される。
【００２６】
次に、基材１０の外観と繊維クロスの外観との組み合わせの具体例について、以下の表を参照して説明する。なお、表１に示される角度は、基材又は繊維クロスに含まれる繊維が釣竿の延設方向、すなわち、水平方向（図１中の左右方向）に対して成す角度を意味する。
【表１】
0005812921.tif 000002
【００２７】
組み合わせ１については、基材１０が水平方向に沿って延びる複数の繊維を含み、例えば１つの繊維クロスが平織状に形成されている。組み合わせ２については、基材１０が垂直方向に延びる複数の繊維を含み、繊維クロスが平織状に形成されている。組み合わせ３については、基材１０が水平方向に沿って延びる複数の繊維を含み、繊維クロスは、水平方向に約４５度傾斜した第１の方向に延びる複数の繊維に加えて、この第１の方向に約９０度傾斜した第２の方向に延びる複数の繊維をも含む。このように、繊維クロスは、基材に含まれた繊維の延びる方向とは異なる方向に延びる繊維を含むことにより、基材の露出した表面とは異なる外観を有する。
【００２８】
なお、表１には、１つの繊維クロスしか含まれていないが、この１つの繊維クロスの上又は下に配置される別の繊維クロスを用いた場合にも、この別の繊維クロスが基材に含まれた繊維の延びる方向とは異なる方向（無論、同じ方向であってもよい）に延びる繊維を含むものとすることができる。
【００２９】
また、表１には、具体例として３つの組み合わせのみしか示されていないが、基材１０又は繊維クロスに含まれた繊維が釣竿の延設方向に対して成す角度は、適宜設定可能なものである。
【００３０】
このように、本実施形態によれば、繊維強化プラスチックにより構成された基材の上に、基材の露出した表面とは異なる外観を有する繊維クロスを、基材から流出した樹脂を用いて固定することにより、繊維クロスが基材と一体成型されるので、繊維クロスと基材との間の密着性を非常に良好なものとすることができる。また、繊維クロスは、上記特許文献に記載されたシールに比べて、高い表面硬度を有するものであるので、高い耐衝撃性を備えるため、損傷を受け難い。
また、基材の上に配置された１又はそれ以上の繊維クロスが密着性の高い凹凸模様を表現することができる。さらに、１又はそれ以上の繊維クロスは、それらを構成する繊維の種類、色及び延びる方向等を組み合わせることにより、基材の色、並びに、基材を構成する繊維の種類及び延びる方向との関係で、様々な外観を表現することができる。これら様々な外観は、上記特許文献に記載されたようなシールを用いた手法では表現できない、一体感のあるものとなる。
【符号の説明】
【００３１】
１０  基材（釣竿本体）
２０、３０、３２、３４、３６  繊維クロス
４０  保護層
【図１】
0005812921.tif 000003
【図２】
0005812921.tif 000004
【図３】
0005812921.tif 000005
【図４】
0005812921.tif 000006